(57)【要約】【課題】簡易な構成で２つの流入部から流入される液体を１つの流出部に同時に供給し、又は１つの流入部から流入される液体を１つの流出部に供給することのできるコネクタを提供する。【解決手段】頭部４１には、他の輸液具５１と連通部４５とを連通する溝５２が形成され、溝５２は、頭部４１が本体４の開口部３１に挿入された状態で閉じられ、頭部４１が他の輸液具５１に押圧されて本体４の開口部３１から大径部３２に移動された状態で頭部４１の弾性により開かれるよう形成されている。【選択図】図４
2012024565.tif 000002
【特許請求の範囲】
【請求項１】
輸液ラインに接続され、前記輸液ラインに他の輸液具から側注可能なコネクタであって、
天面に前記他の輸液具が接続可能な開口部が形成され、底面が閉塞された筒状の本体と、
前記本体の内部に連通し、前記輸液ラインに接続される第１接続管及び第２接続管と、
前記本体内に収納され、前記開口部を開閉自在に閉塞する弁体とを備え、
前記本体は、前記開口部よりも底面側に前記開口部より大径の大径部が形成され、
前記弁体は、前記本体の開口部に挿入される頭部と、前記頭部よりも前記本体の底面側に配置され前記本体内で第１接続管と第２接続管とを連通させる連通部と、前記頭部を前記本体の開口部に付勢する弾性部とを有し、
前記頭部には、その天面と前記頭部の外側面とを連通する溝が形成され、
前記溝は、前記頭部が前記本体の開口部に挿入された状態で閉じられ、前記頭部が前記他の輸液具に押圧されて前記本体の開口部から大径部に移動された状態で前記頭部の弾性により開かれるよう形成されていることを特徴とするコネクタ。
【請求項２】
請求項１に記載のコネクタにおいて、
前記本体の開口部は、その内周面が底面側から天面に向けて縮径する本体テーパー部を有し、
前記弁体の頭部は、その外側面が前記テーパー部に対面し前記天面に向けて縮径する頭部テーパー部を有していることを特徴とするコネクタ。
【請求項３】
請求項２に記載のコネクタにおいて、
前記弁体の頭部テーパー部に、前記頭部テーパー部が前記本体テーパー部に押圧された際に前記溝を閉じる方向へ押圧する凸部が形成されていることを特徴とするコネクタ。
【請求項４】
請求項１乃至請求項３のいずれか１項記載のコネクタにおいて、
前記本体及び前記弁体は、前記弁体が前記本体に対して相対的な回転を防止する位置決め機構を有し、前記弁体の頭部において前記溝の開口する外側面が、前記第１接続管又は前記第２接続管のうち下流側となる接続管の軸方向に向けて配置されていることを特徴とするコネクタ。
【請求項５】
請求項１乃至請求項４のいずれか１項記載のコネクタにおいて、
前記連通部は、前記弁体の胴部の外周が前記本体の内周よりも小径に形成されてなることを特徴とするコネクタ。
【請求項６】
請求項１乃至請求項５のいずれか１項記載のコネクタにおいて、
前記連通部は、前記弁体を貫通する貫通孔により形成されていることを特徴とするコネクタ。
【請求項７】
請求項１乃至請求項６のいずれか１項記載のコネクタにおいて、
前記弁体の弾性部は、前記連通部との境界部分の外周が前記本体の内周面に液密に当接するシール部を有していることを特徴とするコネクタ。
【請求項８】
請求項１乃至請求項７のいずれか１項記載のコネクタにおいて、
前記弾性部は、その内部を空洞に形成した空洞部を有し、該弾性部は蛇腹状に形成されていることを特徴とするコネクタ。
【発明の詳細な説明】
【技術分野】
【０００１】
本発明は、液体を流入する２つの流入部と、液体を流出する１つの流出部と、一方の流入部を選択的に塞いで液体の流入を阻止する弁体とを備えるコネクタに関する。
【背景技術】
【０００２】
従来、液体を２つの流入部から流入させ、流入された液体を１つの流出部から流出させるコネクタが医療の分野で用いられている。このコネクタは、２つの流入部から流入される液体を１つの流出部に交互にあるいは同時に供給自在とするように形成されている。
【０００３】
この種のコネクタにおいて、液体を流通させる２つの流入部及び１つの流出部と、２つの流入部及び１つの流出部と連通する液体流通空間とを備えるコネクタが知られている（例えば、特許文献１参照）。特許文献１に記載されているコネクタは、一方の流入部に当接することにより一方の流入部から液体流通空間に流入される液体を阻止するが他方の流入部から流出部への液体の流出を可能とする弁体を有する。
【０００４】
この弁体は、筒状に形成され弾性変形する頭部と、この頭部と一体に形成され頭部の軸線方向に弾性変形する変形部とを備える。頭部頂部には連通口が備えられ、頭部の筒状周壁には開閉可能なスリットが形成され、このスリットが開口すると頭部内部と液体流通空間とが連通し、このスリットが閉口すると頭部内部と液体流通空間との連通が阻止される。
【０００５】
このスリットは、頭部に外力が加えられていない状態では閉口しているが、外力が加えられて頭部が変形すると開口するように構成されている。そのため、雄ルアーコネクタを一方の流入部に挿入すると押圧されて頭部が変形してスリットが開口し、雄ルアーコネクタから流入される液体が弁体内部から液体流通空間を介して流出部に流出する。したがって、雄ルアーコネクタを一方の流入部に挿入したときは、一方の流入部と他方の流入部とから流入される液体が液体流通空間を介して流出部から流出される。
【０００６】
一方、雄ルアーコネクタを一方の流入部から外すと変形している頭部は弾性材料の復元力によって元の形状となり、スリットが閉口する。このときは、雄ルアーコネクタによって押圧されていた頭部が解放され、変形部が頭部の軸線方向に延びて復元するため、頭部の位置は雄ルアーコネクタを弁体に向かって挿入する前の位置に戻る。そして、雄ルアーコネクタを一方の流入部から外したときは、他方の流入部から流入される液体が液体流通空間を介して流出部から流出される。
【０００７】
以上より、雄ルアーコネクタを一方の流入部から外したときは他方の流入部から液体が流入されて流出部に流出され、雄ルアーコネクタを一方の流入部に挿入したときは一方の流入部及び他方の流入部から液体が流入されて流出部に流出される。
【先行技術文献】
【特許文献】
【０００８】
【特許文献１】特許第４３７８１８７号公報
【発明の概要】
【発明が解決しようとする課題】
【０００９】
しかしながら、特許文献１に記載のコネクタは、頭部頂部に連通口を備えると共に、頭部の筒状周壁に開閉可能なスリットが形成されているため、複雑な装置構成を有するという不都合がある。
【００１０】
また、特許文献１のコネクタでは、雄ルアーコネクタを一方の流入部から外すと頭部のスリットが閉じるため、頭部の内腔部に液体が滞留するという不都合がある。
【００１１】
本発明は、上記の不都合を解決するため、簡易な構成で２つの流入部から流入される液体を１つの流出部に同時に供給し、又は１つの流入部から流入される液体を１つの流出部に供給することのできるコネクタを提供することを目的とする。
【課題を解決するための手段】
【００１２】
本発明は、輸液ラインに接続され、前記輸液ラインに他の輸液具から側注可能なコネクタであって、天面に前記他の輸液具が接続可能な開口部が形成され、底面が閉塞された筒状の本体と、前記本体の内部に連通し、前記輸液ラインに接続される第１接続管及び第２接続管と、前記本体内に収納され、前記開口部を開閉自在に閉塞する弁体とを備え、前記本体は、前記開口部よりも底面側に前記開口部より大径の大径部が形成され、前記弁体は、前記本体の開口部に挿入される頭部と、前記頭部よりも前記本体の底面側に配置され前記本体内で第１接続管と第２接続管とを連通させる連通部と、前記頭部を前記本体の開口部に付勢する弾性部とを有し、前記頭部には、その天面と前記頭部の外側面とを連通する溝が形成され、前記溝は、前記頭部が前記本体の開口部に挿入された状態で閉じられ、前記頭部が前記他の輸液具に押圧されて前記本体の開口部から大径部に移動された状態で前記頭部の弾性により開かれるよう形成されていることを特徴とする。
【００１３】
本発明のコネクタでは、本体の開口部に挿入された弁体の頭部が他の輸液具に押圧されるため、頭部が本体の開口部から大径部に移動する。大径部に移動した頭部の溝は頭部自身の弾性で開かれるため、他の輸液具から流入される輸液が溝を介して輸液ラインに流入される。
【００１４】
一方で、輸液ラインに接続している第１接続管と第２接続管とは本体の底面側に配置されている連通部によって連通しているため、輸液ラインの輸液が第１接続管、本体の内部、及び第２接続管に流入している。
【００１５】
以上より、本発明のコネクタは、本体の開口部に他の輸液具を挿入したときは２つの流入部（第１接続管、他の輸液具）から流入される輸液が１つの流出部（第２接続管）に同時に供給される。また、本体の開口部に他の輸液具を挿入していないときは１つの流入部（第１接続管）から流入される輸液が１つの流出部（第２接続管）に供給される。
【００１６】
従って、本発明のコネクタによれば、簡易な構成で２つの流入部から流入される液体を１つの流出部に同時に供給し、又は１つの流入部から流入される液体を１つの流出部に供給することが可能となる。
【００１７】
また、本発明のコネクタによれば、開口部に接続されている他の輸液具を取り外すことで、弁体が弾性部の付勢力を受けて天面側に移動する。溝は頭部の天面と外側面とを連通し、弁体の内部には連通していないため、他の輸液具を取り外したときに、輸液が弁体内に滞留することはない。従って、本体と連通部の間の液体は第１接続管と第２接続管の間の流れによっていずれかの接続管に流出する。
【００１８】
また、前記本体の開口部は、その内周面が底面側から天面に向けて縮径する本体テーパー部を有し、前記弁体の頭部は、その外側面が前記テーパー部に対面し前記天面に向けて縮径する頭部テーパー部を有していることが好ましい。
【００１９】
これによれば、開口部に接続されている他の輸液具を取り外すことによって、弁体の頭部が大径部から開口部に移動し、弁体の頭部が開口部に挿入される。このとき、弁体の頭部及び本体の開口部は天面に向けて縮小するテーパー状に形成されているため、挿入時の摩擦抵抗を減少させることができる。
【００２０】
さらに、前記弁体の頭部テーパー部に、前記頭部テーパー部が前記本体テーパー部に押圧された際に前記溝を閉じる方向へ押圧する凸部が形成されていることが好ましい。これによれば、弁体の頭部が開口部に挿入される際に、凸部によって溝が閉じる方向に押圧されるため、溝を容易に閉じることができる。従って、開口部に接続されている他の輸液具を取り外す際の、開口部からの液漏れを防止することができる。
【００２１】
また、前記本体及び前記弁体は、前記弁体が前記本体に対して相対的な回転を防止する位置決め機構を有し、前記弁体の頭部において前記溝の開口する外側面が、前記第１接続管又は前記第２接続管のうち下流側となる接続管の軸方向に向けて配置されていることが好ましい。これによれば、位置決め機構によって弁体の相対的な回転が防止されているため、溝の開口する外側面は、常に第１接続管又は前記第２接続管のうち下流側となる接続管の軸方向に向けて配置される。従って、他の輸液具から流入される輸液が、効率よく第１の接続管又は第２の接続管を介して輸液ラインに流入する。
【００２２】
さらに、前記連通部は、前記弁体の胴部の外周が前記本体の内周よりも小径に形成されていてもよい。これによれば、第１接続管と第２接続管の間を流入する輸液を弁体の胴部の外周面を介して流入させることが可能となり、簡易な構成で輸液ラインの輸液を流入させる連通部を構成することができる。
【００２３】
また、前記連通部は、前記弁体を貫通する貫通孔により形成されていてもよい。これによれば、第１接続管と第２接続管の間を流入する輸液を貫通孔を介して流入させることが可能となり、連通部を容易に構成することができる。
【００２４】
また、前記弁体の弾性部は、前記連通部との境界部分の外周が前記本体の内周面に液密に当接するシール部を有していることが好ましい。これによれば、弾性部の弾性によって弁体の頭部が大径部から開口部に移動する際に、シール部が本体に流入されている輸液を押し上げるため、本体内部の輸液が陰圧となることを防止することができる。従って、他の輸液具を開口部から取り外す際に、輸液ラインからの逆流を防止することができる。
【００２５】
また、前記弾性部は、その内部を空洞に形成した空洞部を有し、該弾性部は蛇腹状に形成されていてもよい。これによれば、簡易な構成で容易に伸縮する弾性部を形成することができる。
【図面の簡単な説明】
【００２６】
【図１】第１の実施形態のコネクタを示す平面図。
【図２】第１の実施形態の弁体を示す斜視図。
【図３】図１に示すコネクタの断面図。
【図４】第１の実施形態の挿入管を挿入したコネクタの断面図。
【図５】第２の実施形態のコネクタの断面図。
【図６】第２の実施形態の挿入管を挿入したコネクタの断面図。
【図７】第３の実施形態のコネクタの説明的断面図。
【図８】第３の実施形態の挿入管を挿入したコネクタの説明的断面図。
【図９】第４の実施形態のコネクタの断面図。
【図１０】第４の実施形態の挿入管を挿入したコネクタの断面図。
【図１１】第５の実施形態の弁体を示す斜視図。
【図１２】第５の実施形態の本体及び第１、第２接続管の断面図。
【図１３】第５の実施形態のコネクタの断面図。
【図１４】第５の実施形態の挿入管を挿入したコネクタの断面図。
【発明を実施するための形態】
【００２７】
「第１の実施形態」
本発明の第１の実施形態を図面に基づいて説明する。まず、本実施形態の構成について、図１〜図３を用いて説明する。
【００２８】
本実施形態のコネクタ１は、天面２が開口され底面３が閉塞された筒状の本体４と、本体４から延出する第１接続管５及び第２接続管６と、本体４に収納されている柱状の弁体７とを備えている。第１接続管５と第２接続管６は本体４の軸８に直交する方向であって互いに１８０°離間して直線状に延出されている。
【００２９】
本体４は、筒状に形成された筒状体１１と、この筒状体１１に取り付けられる蓋部１２とからなる。また、筒状体１１と蓋部１２によって囲まれた空間を空間部１３とする。筒状体１１の底面３側の側壁１４には、段部１５が筒状体１１と一体に形成されている。
【００３０】
蓋部１２は、本体４の底面３に形成される蓋部底面２１と、この蓋部底面２１の周に対して立設されて一体に形成された側壁２２とからなる。蓋部底面２１の中心には、天面２に向かって突出する凸状部２３が蓋部底面２１と一体に形成されている。また、側壁２２には、内向きに延びる爪部２４が一体に形成されている。この爪部２４が段部１５に係合されることで、蓋部１２が筒状体１１に取り付けられ、筒状体１１の底面が蓋部１２によって閉塞される。
【００３１】
空間部１３は、天面２側に設けられた空間である開口部３１と、開口部３１の底面３側で隣接する空間である大径部３２と大径部３２の底面３側で隣接する空間である隙間部３３を有している。開口部３１は底面３側に設けられ円筒状に形成されている開口円筒部３１ａと天面２側に設けられテーパー状に形成されている開口テーパー部３１ｂとからなる。この開口テーパー部３１ｂは底面３側で縮径するテーパー状に形成されている。
【００３２】
大径部３２は開口円筒部３１ａよりも大径となるように形成されている。大径部３２の開口部３１側は天面２側で縮径するテーパー状に形成され、大径部３２の底面３側は円筒状に形成されている。
【００３３】
弁体７は、開口部３１に挿入される略円柱状の頭部４１と、頭部４１よりも大径の略円筒状の胴部４２と、本体４の軸８に沿った方向に伸縮可能な弾性部４３とからなる。頭部４１、胴部４２及び弾性部４３はシリコーンゴム等の弾性部材によって一体に形成されている。
【００３４】
頭部４１の天面４１ａは半球状に形成されている。また、頭部４１の天面４１ａにはＶ字状の溝５２が形成されている。溝５２は、略円柱状に形成されている頭部４１の径方向に形成されている。頭部４１の底面３側には、外側面４１ｂが設けられ、溝５２は、天面２と外側面４１ｂとを連通するように形成されている。また、この溝５２は常開に形成されているが、弾性部材である頭部４１に外力を加えて変形させることによって、この溝５２を強制的に閉じることができる。
【００３５】
胴部４２は隙間部３３よりも小径の円筒状に形成されている。また、弾性部４３は胴部４２との境界部分で、鍔部４４を有する。鍔部４４は円環状に形成されており、鍔部４４の側壁は筒状体１１の側壁１４に密着する。従って、鍔部４４は隙間部３３に流入される輸液が底面側に流通しないよう液密にシールする機能を有している。
【００３６】
また、胴部４２は隙間部３３よりも小径の円筒状に形成され、鍔部４４はシール機能を有しているため、胴部４２の外周側である胴部外周部４５には第１接続管５と第２接続管６とを連通する空間が形成されている。この鍔部４４が本発明のシール部に相当し、胴部外周部４５が本発明の連通部に相当する。さらに、胴部４２の内部には、空洞からなる空洞部４６が形成されている。
【００３７】
弾性部４３は中空の蛇腹状に形成されている。また、蛇腹状に形成された弾性部４３の凸部４３ａは筒状体１１の側壁１４に当接されている。弾性部４３の内部には空洞からなる空洞部４８が形成されており、かつその底面３側には空洞部４８と連通する弁体開口部４７が形成されている。
【００３８】
この弁体開口部４７は凸状部２３と嵌合するように形成されており、この弁体開口部４７に凸状部２３が嵌合されることで、弁体７は蓋部１２に支持されている。また、胴部４２の空洞部４６と弾性部４３の空洞部４８とは連通する。
【００３９】
次に、図３、図４を用いて、本実施形態のコネクタ１の作動について説明する。図３には、開口部３１に挿入管５１等の他の輸液具を接続していない状態のコネクタ１が示されている。挿入管５１が開口部３１に接続されていないときは、頭部４１が開口部３１に密着しているため、開口部３１は頭部４１によって塞がれている。また、頭部４１の溝５２は開口部３１からの押圧によって閉じられている。このとき、第１接続管５と第２接続管６は胴部外周部４５を介して連通する。
【００４０】
従って、図示しない上流側の輸液ラインの下流端を第１接続管５に接続し、図示しない下流側の輸液ラインの上流端を第２接続管６に接続して、輸液を第１接続管５に流入すると、輸液は胴部外周部４５と第２接続管６を介して輸液ラインの下流側に流出される。
【００４１】
次に、図４に示すように、挿入管５１を開口部３１に接続すると、挿入管５１が弁体７の頭部４１に当接されて、頭部４１を押圧する。そのため、弾性部４３の付勢力に抗じて弾性部４３が大きく収縮し、頭部４１が開口部３１から外れ、弁体７の頭部４１及び胴部４２が底面３側に移動する。また、頭部４１が開口部３１から解放されて大径部３２を通過し隙間部３３に移動し、頭部４１の溝５２が開く。
【００４２】
この溝５２が開くことによって、挿入管５１と隙間部３３とが連通するため、挿入管５１から流入される輸液が溝５２と隙間部３３を介して第２接続管６に流出される。また、第１接続管５は、胴部外周部４５を介して第２接続管６と連通しているため、第１接続管５から流入される輸液が胴部外周部４５を介して第２接続管６に流出される。
【００４３】
したがって、図示しない輸液ラインの上流側を第１接続管５に装着し、図示しない輸液チューブの下流側を第２接続管６に装着して、輸液ラインの上流側から輸液を流入すると、第１接続管５と挿入管５１とから流入される液体が隙間部３３で混合され、第２接続管６を介して輸液ラインの下流側に流出される。
【００４４】
また、挿入管５１を開口部３１から取り外すと、図３に示すように弾性部４３が付勢力によって伸びて復元し、頭部４１が開口部３１に挿入されて、開口部３１を塞ぐ。このとき、第１接続管５は、胴部外周部４５を介して第２接続管６と連通しているため、第１接続管５から流入される輸液が胴部外周部４５を介して第２接続管６に流出される。また、鍔部４４は側壁１４と密着しているため、胴部外周部４５に流入されている輸液は開口部３１側に押し上げられる。
【００４５】
以上のように、本実施形態のコネクタ１によれば、挿入管５１が開口部３１に接続されているときは溝５２が開いて挿入管５１が外側面４１ｂと胴部外周部４５を介して第２接続管６と連通し、挿入管５１が開口部３１から取り外されているときは溝５２が閉じて天面２と外側面４１ｂとの連通が塞がれる。
【００４６】
従って、挿入管５１を接続するか否かの動作のみによって、２つの流入部から流入される輸液を１つの流出部に同時に供給し、又は１つの流入部から流入される輸液を１つの流出部に供給することを可能とするコネクタを提供することができる。
【００４７】
また、開口部３１に接続されている挿入管５１を取り外すことで、頭部４１及び胴部４２が弾性部４３の付勢力を受けて天面２側に移動する。従って、挿入管５１を取り外した時に、本体４の内部における輸液の流通部の体積が減少し、輸液が本体４に滞留することを防止することができる。
【００４８】
また、弁体７の頭部４１を開口部３１に挿入することで溝５２が閉じられ、頭部４１の頂面が半球面状となるため、弁体７の頭部４１を酒精綿等で容易に消毒することができる。
【００４９】
また、頭部４１が開口部３１に挿入されると、頭部４１が開口部３１を構成する開口円筒部３１ａに密着するため、挿入管５１を開口部３１から取り外した時に挿入管５１から流入した輸液が開口部３１に残留することを防止できる。
【００５０】
また、挿入管５１を開口部３１から取り外したときには、鍔部４４が弾性部４３の付勢力によって天面２側に移動する。その際、鍔部４４が筒状体１１の側壁１４と密着しているため、胴部外周部４５に流入されている輸液が押し上げられる。従って、本体４の輸液が陰圧となることを防止することができ、挿入管５１を開口部３１から取り外す際に、輸液ラインからの逆流を防止することができる。
【００５１】
また、弾性部４３の内部は空洞に形成されており、かつ蛇腹状に形成されているため、弾性部４３が容易に伸縮する。そのため、簡易な構成で容易に伸縮する弾性部４３を形成することができる。
【００５２】
さらに、本体４は、筒状に形成されて空間部１３を形成する筒状体１１と蓋部１２とからなり、弾性部４３が蓋部１２で支持されている。そのため、本体４に弁体７を挿入し蓋部１２で閉じることで弁体７を装着することができ、コネクタ１を容易に組み立てることが可能となる。
【００５３】
「第２の実施形態」
次に、第２の実施形態について、図５、図６を用いて説明する。本実施形態は、前記第１の実施形態と胴部４２の一部の構成のみが相違する。このため、本実施形態の説明では、その相違点を中心に説明し、第１の実施形態と同一の事項については説明を省略する。
【００５４】
本実施形態では、弁体７の胴部４２に第１接続管５と第２接続管６を連通する貫通孔６１が設けられている。この貫通孔６１が、連通部に相当する。また、大径部３２は開口部３１側で縮径するテーパー状に形成されている。さらに、胴部４２の内部に空洞部４６は形成されていない。
【００５５】
また、胴部４２は隙間部３３の径と同じ径の円筒状に形成され、胴部４２が筒状体１１の側壁１４と密着している。そのため、胴部４２の外周部には第１接続管５と第２接続管６を連通する空間は形成されていない。また、胴部４２の弾性部４３側の端部では鍔部４４を有していない。
【００５６】
本実施形態では、以上のような構成を有しているため、第１接続管５から流入された輸液は、貫通孔６１と第２接続管６を介して輸液ラインの下流側に流出される。また、挿入管５１を開口部３１から取り外すと、弾性部４３が伸びて復元し、胴部４２が開口部３１側に移動することによって、貫通孔６１、大径部３２及び隙間部３３に流入されている輸液が開口部３１側に押し上げられる。
【００５７】
第１の実施形態と本実施形態では、以上の点が異なるものの、他の点については第１の実施形態と同様の構成を有しており、同様の作動を行う。従って、本実施形態でも、第１の実施形態と同様の効果を得ることができる。また、本実施形態では、胴部４２に貫通孔６１を設けることで、第１接続管５と第２接続管６を連通させる連通部が構成されており、連通部を容易に構成することができる。
【００５８】
「第３の実施形態」
次に、第３の実施形態について、図７、図８を用いて説明する。本実施形態は、前記第２の実施形態と胴部４２の一部の構成のみが相違する。このため、本実施形態の説明では、その相違点を中心に説明し、第２の実施形態と同一の事項については説明を省略する。
【００５９】
本実施形態では、胴部４２の外周面６２に外周溝６３が形成されている。この外周溝６３を介して、第１接続管５と第２接続管６が連通されており、この外周溝６３が連通部に相当する。そして、本実施形態では、第１接続管５から流入された輸液は、外周溝６３と第２接続管６を介して輸液ラインの下流側に流出される。
【００６０】
第２の実施形態と本実施形態では、以上の点が異なるものの、他の点については第２の実施形態と同様の構成を有しており、同様の作動を行う。従って、本実施形態でも、第２の実施形態と同様の効果を得ることができる。また、本実施形態では、胴部４２に外周溝６３を設けることで、第１接続管５と第２接続管６を連通させる連通部が構成されており、簡易な構成で輸液ラインの輸液を流入させる連通部を構成することができる。
【００６１】
「第４の実施形態」
次に、第４の実施形態について、図９、図１０を用いて説明する。本実施形態は、第１の実施形態と胴部４２と弾性部４３の一部の構成のみが相違する。このため、本実施形態の説明では、その相違点を中心に説明し、第１の実施形態と同一の事項については説明を省略する。
【００６２】
本実施形態は、弾性部４３に胴部４２が包含される形態であり、蛇腹状の弾性部４３の谷折り部近傍に輸液の流通可能な小径部７１が形成され、第１接続管５と第２接続管６は小径部７１を介して連通している。本実施形態では、小径部７１が連通部に相当する。また、大径部３２は天面２側で縮径するテーパー状に形成されている。
【００６３】
また、胴部４２は隙間部３３の径と同じ径の円筒状に形成され、胴部４２が側壁１４と密着しているため、胴部４２の外周部には第１接続管５と第２接続管６を連通する空間は形成されていない。また、胴部４２の底面３側の端部には鍔部４４は設けられていない。
【００６４】
従って、本実施形態では、第１接続管５から流入された輸液は、小径部７１と第２接続管６を介して輸液ラインの下流側に流出される。また、挿入管５１を開口部３１から取り外すと、弾性部４３が伸びて復元し、胴部４２が開口部３１側に移動することによって、大径部３２、隙間部３３及び小径部７１に流入されている輸液が開口部３１側に押し上げられる。
【００６５】
第１の実施形態と本実施形態では、以上の点が異なるものの、他の点については第１の実施形態と同様の構成を有しており、同様の作動を行う。従って、本実施形態でも、第１の実施形態と同様の効果を得ることができる。また、本実施形態では、蛇腹状に形成された弾性部４３の小径部７１を介して、第１接続管５と第２接続管６を連通ことができるため、第１接続管５と第２接続管６を連通させるための加工を弁体７に施す必要がなく、第１接続管５と第２接続管６との連通を容易に可能とすることができる。
【００６６】
「第５の実施形態」
次に、第５の実施形態について、図１１〜図１４を用いて説明する。本実施形態は、第１の実施形態と頭部４１、胴部４２と本体４の一部の構成が相違する。このため、本実施形態の説明では、その相違点を中心に説明し、第１実施形態と同一の事項については説明を省略する。
【００６７】
本実施形態では、開口部８１は天面２側に設けられ円筒状に形成されている開口円筒部８１ａと底面３側に設けられテーパー状に形成されている本体テーパー部８１ｂとからなる。また、大径部８２は開口部８１側で縮径するテーパー状に形成されている。従って、大径部８２を形成する本体４の内壁８３は、開口部３１側で縮径するテーパー状に形成されている。また、本体４の内壁８３の一部を平坦にした内壁平坦面８４が、第１接続管５と第２接続管６の軸方向に沿って形成されている。
【００６８】
頭部４１には、天面２側で縮径するテーパー状の頭部テーパー部９１が形成されており、その先端側には平坦に形成された天面９１ａを有している。頭部テーパー部９１の外側面９１ｂの一部には溝５２が切り込まれ、この切り込みに近接する外側面９１ｂには凸部９２が形成されている。
【００６９】
頭部テーパー部９１及び凸部９２は、挿入管５１を挿入していない状態で、本体テーパー部８１ｂと密着する。このとき、頭部４１の天面４１ａは、開口部８１の天面８１ｃと面一に形成されている。また、頭部テーパー部９１は本体テーパー部８１ｂに押圧されており、凸部９２は溝５２を閉じる方向に押圧されている。また、胴部４２は頭部４１側で径が大きくなり、隙間部３３よりも小さな径の略円筒状に形成され、溝５２に対して平行に平坦な胴部平坦面９４が形成されている。
【００７０】
弁体７は、頭部テーパー部９１と本体テーパー部８１ｂが密着する状態で胴部平坦面９４が内壁平坦面８４と対向するように、蓋部１２に支持される。この胴部平坦面９４と内壁平坦面８４は当接されているため、弁体７の回転が阻止される。この胴部平坦面９４及び内壁平坦面８４が本発明の位置決め機構に相当する。
【００７１】
挿入管５１が開口部３１に接続されていないときは、頭部テーパー部９１と本体テーパー部９３とが密着しており、開口部８１は栓をされた状態となっている。この状態から、図示しない上流側の輸液ラインの下流端を第１接続管５に接続し、図示しない下流側の輸液ラインの上流端を第２接続管６に接続して、輸液を第１接続管５に流入すると、輸液は胴部外周部４５と第２接続管６を介して輸液ラインの下流側に流出される。
【００７２】
次に、挿入管５１を開口部３１に接続すると、頭部４１及び胴部４２が底面３側に移動し、頭部４１が開口部８１から解放されて大径部８２に移動するため、溝５２が開く。このとき、弁体７は、溝５２の他端５２ｂが第２接続管６側を向くように、蓋部１２に支持されているため、挿入管５１から流入される輸液が溝５２を介して第２接続管６に流入される。従って、挿入管５１から流入される輸液が、効率よく第２接続管６を介して図示しない輸液ラインに流入する。
【００７３】
なお、弾性部４３は蛇腹状に形成され、内部に空洞からなる空洞部４８が形成されているが、代わりにコイルばねを用いてもよい。この場合には、コイルばねの一端は胴部４２に取り付けられ、コイルばねの他端は蓋部底面２１に取り付けられる。
【００７４】
以上のように、第１〜第５の実施形態で説明したように、この発明に係るコネクタ１によれば、弾性部４３を備えた弁体７を本体４に収納し、頭部４１の表面に設けられた溝５２を有する弁体７を開口部３１，８１に挿入自在とする簡易な構成で、第１接続管５と挿入管５１から流入される液体を第２接続管６に同時に供給し、又は第１接続管５から流入される液体を第２接続管６に供給することができる。
【符号の説明】
【００７５】
１…コネクタ、２…天面、３…底面、４…本体、５…第１接続管、６…第２接続管、３１…開口部、３２…大径部、４１…頭部、４３…弾性部、４５…連通部（胴部外周部）、５１…他の輸液具（挿入管）、５２…溝。
【図１】
2012024565.tif 000003
【図２】
2012024565.tif 000004
【図３】
2012024565.tif 000005
【図４】
2012024565.tif 000006
【図５】
2012024565.tif 000007
【図６】
2012024565.tif 000008
【図７】
2012024565.tif 000009
【図８】
2012024565.tif 000010
【図９】
2012024565.tif 000011
【図１０】
2012024565.tif 000012
【図１１】
2012024565.tif 000013
【図１２】
2012024565.tif 000014
【図１３】
2012024565.tif 000015
【図１４】
2012024565.tif 000016